(57)【要約】【課題】特定時間帯電力を主電力としながらも機器の運転予約は使用者の任意の時間に行うことができる低ランニングコストで使い勝手の良い深夜電力使用電気機器及び厨芥処理機を提供することを目的とする。【解決手段】電気的負荷からなる負荷手段１６と、前記負荷手段１６を動作させるための信号を出力する制御手段１０と、前記制御手段１０で動作を制御され前記負荷手段１６を駆動する駆動手段１９とを備え、前記制御手段１０は常時給電される商用電源２を電力源とし、前記負荷手段１６及び前記駆動手段１９は、特定時間のみ給電される深夜電力１を電力源とすることを特徴とした深夜電力使用電気機器である。【選択図】　図１
2004147492.tif 000002
【特許請求の範囲】
【請求項１】
電気的負荷からなる負荷手段と、前記負荷手段を動作させるための信号を出力する制御手段と、前記制御手段で動作を制御され前記負荷手段を駆動する駆動手段とを備え、前記制御手段は常時給電される商用電源を電力源とし、前記負荷手段及び前記駆動手段は、特定時間のみ給電される深夜電力を電力源とする深夜電力使用電気機器。
【請求項２】
制御手段は、常時給電される商用電源を電力源とする第１の電源回路の出力Ｖ１と、特定時間のみ給電される深夜電力を電力源とする第２の電源回路の出力Ｖ２とのワイヤードオア出力で動作する請求項１記載の深夜電力使用電気機器。
【請求項３】
深夜電力は３相交流電力であることを特徴とした請求項１または２記載の深夜電力使用電気機器。
【請求項４】
有機廃棄物を加熱または発酵処理する請求項１〜３のいずれか１項に記載の厨芥処理機。
【発明の詳細な説明】
【０００１】
【発明の属する技術分野】
本発明は、深夜電力（夜間割引料金電力）等特定時間帯に給電される電力を使用して運転動作する深夜電力使用電気機器や生ゴミ等の有機廃棄物を乾燥処理する厨芥処理機に関するものである。
【０００２】
【従来の技術】
近年、電力消費の時間的平準化による発電設備の有効利用等を狙って深夜電力や第２深夜電力等の特定時間帯電力を利用する深夜電力使用電気機器の開発が望まれてきている。その中で、例えば、厨芥処理機においても、特定時間帯電力を使用して経済的に有機廃棄物を処理するものが提案され始めている。
【０００３】
深夜電力等の特定時間帯電力を使用して確実に効率よく経済的に有機廃棄物を処理することができる有機廃棄物処理装置は、収容槽内に生ごみ等の有機廃棄物を投入してから電源スイッチをオンして特定電力（例えば深夜電力）の給電をまつ。深夜電力の時間帯に入り給電がスタートすると、第一タイマーのカウント開始から限時動作時まで生ごみを加熱乾燥処理するために各電気的負荷を駆動し、該第一タイマー限時動作時には第二タイマーのカウント開始から限時動作時まで前記加熱乾燥処理を終えた有機廃棄物を収容槽から排出するための排出手段の駆動及び排出口の開閉を行い、前記第一タイマーと第二タイマーとを加算した時間が特定電力の給電時間未満に設定されている有機廃棄物（厨芥）処理装置が開示されている（例えば、特許文献１参照。）。
【０００４】
【特許文献１】
特開２００１−２５７４６号公報
【０００５】
【発明が解決しようとする課題】
しかしながら上記従来の厨芥処理機では、使用者は運転を開始するために電源スイッチを操作はするものの、機器には予約されている旨の表示や報知手段が無く、特定電力が給電されて実際に運転が開始するまでは、本当に機器が予約状態に有るか否かを確認・認識し難いために使い勝手が悪いという問題があった。
【０００６】
また、機器の予約状態や運転状態の時に機器に何らかの異常が発生した場合には、深夜電力が供給されていないとどのような異常が発生したのか後から確認する手段が無いために使用者またはメンテナンス業者の対応が困難であるという問題もある。
【０００７】
本発明は上記問題を解決するもので、使用者が機器の運転予約をしたか否かを確実に認識できるとともに、機器の予約状態や運転状態の時に発生した不具合内容も表示して、不具合対応も短時間で対応可能となる使い勝手とメンテナンス性の良い深夜電力使用電気機器及び厨芥処理機を提供することを目的としている。
【０００８】
【課題を解決するための手段】
上記目的を達成するために本発明は、電気的負荷からなる負荷手段と、前記負荷手段を動作させるための信号を出力する制御手段と、前記制御手段で動作を制御され前記負荷手段を駆動する駆動手段とを備え、前記制御手段は常時給電される商用電源を電力源とし、前記負荷手段及び前記駆動手段は、特定時間のみ給電される深夜電力を電力源とする深夜電力使用電気機器で、使用者は、商用電源を電力源として動作する制御手段内に配置された機器の運転モードを設定する操作手段を操作することで、制御手段に運転予約情報を送る。制御手段は同じく制御手段内に配置される表示手段に運転予約されている旨の表示を行う。そこで、深夜電力（夜間割引料金電力）等の特定時間帯に負荷手段用電力が供給されると、制御手段は前記運転予約情報に基づいて所定の運転モードで機器の運転を開始する。このようにして、安い特定時間帯電力を主消費電力源としながらも、機器の運転予約は、使用者が任意の時間に行うことができると共に機器の状態を直ちに確認できる低ランニングコストで使い勝手の良い深夜電力使用電気機器を提供することができるものである。
【０００９】
【発明の実施の形態】
請求項１記載の発明は、電気的負荷からなる負荷手段と、前記負荷手段を動作させるための信号を出力する制御手段と、前記制御手段で動作を制御され前記負荷手段を駆動する駆動手段とを備え、前記制御手段は常時給電される商用電源を電力源とし、前記負荷手段及び前記駆動手段は、特定時間のみ給電される深夜電力を電力源とする深夜電力使用電気機器で、使用者は、商用電源を電力源として動作する制御手段内に配置された機器の運転モードを設定する操作手段を操作することで、制御手段に運転予約情報を送る。制御手段は同じく制御手段内に配置される表示手段に運転予約されている旨の表示を行う。そこで、深夜電力（夜間割引料金電力）等の特定時間帯に負荷手段用電力が供給されると、制御手段は前記運転予約情報に基づいて所定の運転モードで機器の運転を開始する。このようにして、安い特定時間帯電力を主消費電力源としながらも、機器の運転予約は、使用者が任意の時間に行うことができると共に機器の状態を直ちに確認できる低ランニングコストで使い勝手の良い深夜電力使用電気機器を提供することができるものである。
【００１０】
請求項２記載の発明は、制御手段は、常時給電される商用電源を電力源とする第１の電源回路の出力Ｖ１と、特定時間のみ給電される深夜電力を電力源とする第２の電源回路の出力Ｖ２とのワイヤードオア出力で動作するもので、制御手段が消費する電力は、深夜電力時間帯以外では全て商用電源を電力源とする第１の電源回路の出力Ｖ１で供給し、深夜電力が給電されると深夜電力を電力源とする第２の電源回路の出力Ｖ２からも供給するもので、深夜電力供給時間帯では、制御手段で消費する電力も安価な深夜電力から供給可能となり、よりランニングコストを抑えることができる深夜電力使用電気機器を提供することができる。
【００１１】
請求項３記載の発明は、深夜電力は３相交流電力であるもので、負荷手段や制御手段への電力供給効率を高めることができ、より安いランニングコストを期待できる深夜電力使用電気機器を提供することができる。
【００１２】
請求項４記載の発明は、有機廃棄物を加熱または発酵処理する請求項１〜３のいずれか１項に記載の厨芥処理機で、使用性の高く、特に安いランニングコストを期待できる厨芥処理機を提供することができる。
【００１３】
【実施例】
以下、本発明の一実施例を、図１及び図２を参照しながら説明する。
【００１４】
図１は厨芥処理機の回路ブロック図である。図１において２は商用電源（単相１００Ｖ又は単相２００Ｖ）で単相全波整流回路４を経て絶縁タイプの電源回路である第１の電源回路６に給電する。１は三相深夜電力で、厨芥処理機１８内に投入された生ゴミ等を加熱乾燥・撹拌粉砕処理する負荷手段１６内の加熱手段１２と撹拌手段１３と、駆動手段１９内の前記加熱手段１２を駆動する加熱駆動手段１５と前記撹拌手段１３を駆動する撹拌駆動手段１４に電力を供給するとともに、三相全波整流回路３を経て第２の電源回路５に給電する。第１の電源回路６の出力Ｖ１と第２の電源回路５の出力Ｖ２はダイオードで構成されるワイアードオア回路７によってワイアードオアされて表示手段８と操作手段９とからなる制御手段１０に給電される。又制御手段１０はＶ２出力を検知する検知手段１１の出力信号ＳＶｔから三相深夜電力１が供給されているか否かを検知して、供給されていると判断した場合には負荷手段１６を動作するため駆動信号Ｓｔを出力する。１７はフォとトランジスタで構成される信号伝達手段である。第１の電源回路６の出力Ｖ１と第２の電源回路５の出力Ｖ２とは、Ｖ２＞Ｖ１との関係になっている。
【００１５】
次に上記構成に基づく動作について図２を参照しながら説明する。
【００１６】
制御手段１０は、常時給電されている商用電源２を電力源とする第１の電源回路６の出力Ｖ１がワイアードオア回路７を経て制御手段１０に供給されるため動作可能の状態になっている。
【００１７】
まず、三相深夜電力１が給電されていない場合は第２の電源回路５の出力Ｖ２は無いため検知手段１１の出力ＳＶｔから制御手段１０は三相深夜電力１が給電されていないことを検知できる。この時使用者が厨芥等を厨芥処理機１８に投入して操作手段９で運転開始操作を行なうとその操作情報とＳＶｔ情報とから制御手段１０は表示手段８に運手開始予約状態である旨の表示を行なう。
【００１８】
その後に三相深夜電力１が供給開始されると第２の電源回路５が動作してＶ２を出力する。検知手段１１はＶ２が出力されたことを検知して制御手段１０に信号ＳＶｔを出力する（ここでＶ２＞Ｖ１の関係があるため、ワイアードオア回路７によって制御手段１０へは全てＶ２の出力が自動的に供給されることになり、商用電源２の消費電力は格段に減少する）。制御手段１０はＳＶｔ信号から三相深夜電力が供給され始めたことを検知して表示手段８への表示を運転開始予約状態から運転開始状態で有る旨の表示に変更するとともに、駆動信号Ｓｔを出力する。駆動信号Ｓｔは信号伝達手段１７を経て負荷手段１６に送られ、厨芥処理機内に投入された生ゴミ等の加熱乾燥・撹拌粉砕処理を開始する。生ゴミ等の加熱乾燥・撹拌粉砕処理完了後は制御手段は駆動信号ＳｔをＯＦＦして負荷手段１６の運転を停止する。
【００１９】
また、使用者が厨芥等を厨芥処理機１８に投入して操作手段９で運転開始操作を行なった時に、既に三相深夜電力１が給電されている場合は、制御手段１０は検知手段１１からの出力信号ＳＶｔで検知できるため、操作直後から表示手段８に運転開始状態である旨を表示するとともに負荷手段１６を運転するための制御動作を行う。
【００２０】
ところで制御手段１０は、上記した運転開始予約状態又は運転開始状態の時に機器の異常を検知すると、表示手段９に異常が発生した旨及びその異常内容等を表示する。制御手段１０は商用電源２と三相深夜電力１の双方からの電力供給が可能であるため、三相深夜電力１の供給が絶たれて負荷手段が停止状態になっても使用者又はメンテナンス業者により異常修理等の対応がなされるまで異常内容等を継続表示する。
【００２１】
なお、本実施例においては、加熱乾燥処理式の厨芥処理機に述べたが、発酵処理式の厨芥処理機においても有効で、要は使用時間が長くかつランニングコストの大きい厨芥処理機を深夜電力を用いて使用することで、特に大きな効果を発するものである。そして、上記内容は、一般の深夜電力使用電気機器においても大きな効果をもたらすことはいうまでもない。
【００２２】
【発明の効果】
本発明によれば、使用者が機器の運転予約をしたか否かを確実に認識できるとともに機器の予約状態や運転状態の時に発生した不具合内容も表示して不具合対応も短時間で対応可能となる使い勝手とメンテナンス性の良い深夜電力使用電気機器及び厨芥処理機を提供できる。
【図面の簡単な説明】
【図１】本発明の実施例を示す厨芥処理機の回路ブロック図
【図２】同厨芥処理機の動作説明図
【符号の説明】
１　三相深夜電力
２　商用電源
５　第２の電源回路
６　第１の電源回路
７　ワイアードオア回路
８　表示手段
９　操作手段
１０　制御手段
１１　検知手段
１６　負荷手段
１９　駆動手段
【図１】
2004147492.tif 000003
【図２】
2004147492.tif 000004